(57)【要約】【課題】  簡単な施工で所定の水勾配を正確につけて下枠部を設置可能にすることで、下枠部内に流入した浴水を下枠部外にスムーズに排出可能にする浴室用引戸枠を実現させる。【解決手段】  開口部１３を開閉する引戸１２をスライド自在に支持する上枠部２及び下枠部３と、これら上枠部２及び下枠部３の両端同士を連結する一対の長さの異なる縦枠部４とを有して成る浴室用引戸枠１である。上枠部２と縦枠部４とを直角プレ−ト５の直角を成す２辺に沿わせた状態で連結する。縦枠部４と下枠部３とを非直角プレ−ト６の非直角を成す２辺に沿わせた状態で連結する。下枠部３内に流入した浴水を流下させるための水勾配をつけて下枠部３を配置する。下枠部３における水勾配の最下端部に外部に排水する排水部７を設ける。【選択図】        図１
2009079380.tif 000002
【特許請求の範囲】
【請求項１】
開口部を開閉する引戸をスライド自在に支持する上枠部及び下枠部と、これら上枠部及び下枠部の両端同士を連結する一対の長さの異なる縦枠部とを有して成る浴室用引戸枠であって、上枠部と縦枠部とを直角プレ−トの直角を成す２辺に沿わせた状態で連結し、縦枠部と下枠部とを非直角プレ−トの非直角を成す２辺に沿わせた状態で連結することで、下枠部内に流入した浴水を流下させるための水勾配をつけて下枠部を配置し、下枠部における水勾配の最下端部に外部に排水する排水部を設けたことを特徴とする浴室用引戸枠。
【請求項２】
下枠部は、水勾配をつけて配置される底面部材と、引戸の下端をスライドさせるためのレール部材とを有し、レール部材を底面部材上にスペーサを介して水平に載設させたことを特徴とする請求項１記載の浴室用引戸枠。
【請求項３】
開口部を開放した引戸が収まる戸袋部を浴室に臨ませないように設け、この戸袋部と開口部との境界部分に位置して開口部枠の縦枠材となる方立部を下枠部と上枠部とに連結し、この方立部の長さ寸法を長さの異なる一対の縦枠部の間の寸法に形成したことを特徴とする請求項１又は２記載の浴室用引戸枠。
【発明の詳細な説明】
【技術分野】
【０００１】
本発明は、浴室用引戸枠に関するものである。
【背景技術】
【０００２】
従来から、開口部１３を開閉する引戸１２をスライド自在に支持する上枠部２及び下枠部３と、これら上枠部２及び下枠部３の両端同士を連結する一対の縦枠部４とを有した浴室用引戸枠１´において、その下枠部３に下枠部３内に流入した浴水を下枠部３外に排出させる排水機構を備えることは図６のように知られている（たとえば特許文献１参照）。
【０００３】
この例の場合、下枠部３は、水平に配置される底面部材８と、底面部材８上に水勾配をつけて載設されるレール部材９とで構成されている。なお、レール部材９は、図６（ｂ）のように、引戸１２の下端のローラを転動させてスライド自在に支持するレール片４０と、下枠部３に流入した浴水を受ける水受け溝４１と、水受け溝４１にて受けた浴水を下枠部３外に排出する排水部７とを備えて構成されており、底面部材８上にスペーサ１０を介して排水部７が最下端に位置するように水勾配をつけて載置される。
【０００４】
しかしながら、この例の浴室用引戸枠１´では、下枠部３に流入した浴水が水受け溝４１から漏れて底面部材８に至ってしまうと、底面部材８は水平に配置されているため、その排水は容易には行われずに浴水が滞留してしまう、という問題がある。更に言うと、引戸１２のローラが転動されるレール片４１は、レール部材９の水勾配によって、その長さ位置で高さ位置を異ならせるものであり、つまり、レール片４１の長さ位置でローラのレール片４１への転動圧が異なることから、引戸１２のスムーズな水平移動を阻害してしまう、という問題がある。
【０００５】
そこで、本発明者は、下枠部３自体を下枠部３内に流入した浴水を流下させるための水勾配をつけて設置し、下枠部３における水勾配の最下端部に外部に排水する排水部７を設けて、下枠部３内に流入した浴水をスムーズに下枠部３の外部に排水させる浴室用引戸枠１を想起した。
【０００６】
しかしながら、下枠部３を水平に設置するのであれば水準器などを用いて比較的簡単にできるのであるが、下枠部３を所定の水勾配を正確につけて設置するのは施工的に難しいのであり、上記浴室用引戸枠１の実現には至っていないのが現状であった。
【特許文献１】特開平９−１３７１５号公報
【発明の開示】
【発明が解決しようとする課題】
【０００７】
本発明は上記の点に鑑みてなされたものであり、その目的とするところは、簡単な施工で所定の水勾配を正確につけて下枠部を設置可能にすることで、下枠部内に流入した浴水を下枠部外にスムーズに排出可能にする浴室用引戸枠を実現させることを課題とするものである。
【課題を解決するための手段】
【０００８】
上記課題を解決するために請求項１に係る浴室用引戸枠にあっては、開口部１３を開閉する引戸１２をスライド自在に支持する上枠部２及び下枠部３と、これら上枠部２及び下枠部３の両端同士を連結する一対の長さの異なる縦枠部４とを有して成る浴室用引戸枠１であって、上枠部２と縦枠部４とを直角プレ−ト５の直角を成す２辺に沿わせた状態で連結し、縦枠部４と下枠部３とを非直角プレ−ト６の非直角を成す２辺に沿わせた状態で連結することで、下枠部３内に流入した浴水を流下させるための水勾配をつけて下枠部３を配置し、下枠部３における水勾配の最下端部に外部に排水する排水部７を設けたことを特徴とする。
【０００９】
これによると、直角プレ−ト５にて上枠部２に対して垂直な縦枠部４を確実に得ることができると共に、非直角プレ−ト６にて上記縦枠部４に対して所定の角度の下枠部３を確実に得ることができ、つまり、簡単な施工で浴室用引戸枠１の下枠部３を所定の水勾配を正確につけて設置できるのであり、したがって、下枠部３内に流入した浴水を水勾配で流下させて水勾配の最下端部の排水部７から浴水を下枠部３外にスムーズに排出可能にできる浴室用引戸枠１を、簡単な施工で実現できるのである。
【００１０】
また、請求項２に係る浴室用引戸枠にあっては、請求項１において、下枠部３は、水勾配をつけて配置される底面部材８と、引戸１２の下端をスライドさせるためのレール部材９とを有し、レール部材９を底面部材８上にスペーサ１０を介して水平に載設させたことを特徴とする。
【００１１】
これによると、下枠部３は水受けとなる水勾配のついた底面部材８の上にレール部材９を水平に載設させて構成されたので、引戸１２の下端を水平なレール部材９にてスライド自在に支持でき、スムーズな引戸１２の水平移動を確保できる。
【００１２】
また、請求項３に係る浴室用引戸枠にあっては、請求項１又は２において、開口部１３を開放した引戸１２が収まる戸袋部１４を浴室１５に臨ませないように設け、この戸袋部１４と開口部１３との境界部分に位置して開口部枠１３ａの縦枠材となる方立部１１を下枠部３と上枠部２とに連結し、この方立部１１の長さ寸法を長さの異なる一対の縦枠部４の間の寸法に形成したことを特徴とする。
【００１３】
これによると、浴室用引戸枠１に浴室１５に臨ませないように戸袋部１４を設ける場合、浴室用引戸枠１には開口部１３を囲う開口部枠１３ａの縦枠材となる方立部１１が必要になるが、この方立部１１の長さ寸法を長さの異なる一対の縦枠部４の間の寸法に形成したので、戸袋部１４と開口部１３との境界部分において方立部１１を下枠部３と上枠部２との間に確実且つ無理なく設置できる。
【発明の効果】
【００１４】
本発明にあっては、簡単な施工で所定の水勾配を正確につけて下枠部を設置可能にし、下枠部内に流入した浴水を下枠部外にスムーズに排出可能にする浴室用引戸枠を実現させ得る、という利点を有する。
【発明を実施するための最良の形態】
【００１５】
以下、本発明を添付図面に示す実施形態に基いて説明する。
【００１６】
図２のように、浴室１５とその隣室１６（本例では脱衣所）とは、仕切り壁１７で仕切られると共に、開口部１３にて連通されている。この開口部１３は一枚の引戸１２にて開閉自在にされ、開口部１３を開放した状態の引戸１２は仕切り壁１７の上記隣室１６側に臨む部位に設けた戸袋部１４に収め得るようにされている。上記引戸１２は、建物における浴室１５と隣室１６との境界部分に設置された浴室用引戸枠１に支持、ガイドされて開口部１３又は戸袋部１４に移動自在にされている。つまり、浴室用引戸枠１は、開口部１３と戸袋部１４とに跨るように建物に設置される
詳しくは、浴室用引戸枠１は、図１のように、開口部１３を開閉する引戸１２をスライド自在に支持する上枠部２及び下枠部３と、これら上枠部２及び下枠部３の両端同士を連結する一対の長さの異なる縦枠部４と、戸袋部１４と開口部１３との境界に位置して下枠部３と上枠部２とに連結する方立部１１とを組みつけて形成される枠体である。
【００１７】
ここで、本例の上枠部２は、引戸１２を水平走行自在に吊り支持させるものであるから、水平に設置されている。一方、本例の下枠部３は、戸先側ほど低位置になる水勾配がつけられて配置されており、水勾配の最下端部には外部に排水する排水部７が設けられ、上記水勾配で集められた下枠部３に流入した浴水を排水部７にて下枠部３外に排水可能にしてある。また、上記一対の縦枠部４には、戸袋部側端部（戸元側端部）に位置する戸元側縦枠部４ａと、開口部側端部（戸先側端部）に位置する戸先側縦枠部４ｂが有るが、戸先側縦枠部４ｂが戸元側縦枠部４ａに比べて長く形成されている。したがって、本例の浴室用引戸枠１は、縦枠部４と下枠部３との成す角が直角にならない、戸先側ほど上下寸法が長くなる変形枠状に形成されている。
【００１８】
このような下枠部３が水勾配をつけて配置されて変形枠状に形成される浴室用引戸枠１は、所定の水勾配をつける下枠部３の設置に特に設置施工上の困難さを有しており、ひいては浴室用引戸枠１を所定形状の変形枠状に組み付けることに設置施工上の困難さを有するものであるが、下記の工夫が施されることで、簡単な施工で正確な下枠部３の水勾配をつけた設置、浴室用引戸枠１の組み付けを可能にしている。
【００１９】
すなわち、本例では上記工夫として、上枠部２と縦枠部４とを直角プレ−ト５の直角を成す２辺に沿わせた状態で連結し、縦枠部４と下枠部３とを非直角プレ−ト６の非直角を成す２辺に沿わせた状態で連結している。本例では、直角プレ−ト５は上枠部２と戸元側縦枠部４ａとを連結し、鈍角プレート６ａで構成された非直角プレ−ト６は戸元側縦枠部４ａと下枠部３とを連結しているが、直角プレ−ト５や非直角プレ−ト６が開口部１３に露出しなければ、直角プレ−ト５にて上枠部２と戸先側縦枠部４ｂとを連結し、鋭角プレートで構成した非直角プレ−ト６にて戸先側縦枠部４ｂと下枠部３とを連結することもできる。
【００２０】
詳しくは、直角プレ−ト５による上枠部２と戸元側縦枠部４ａとの連結は、直角プレ−ト５の直角の角部先端を上枠部２と戸元側縦枠部４ａとの重合部にビス止めし（図中ａ）、直角プレ−ト５の残りの一方の角部先端を上枠部２にビス止めし（図中ｂ）、他方の角部先端を戸元側縦枠部４ａにビス止めする（図中ｃ）ことで行われる。また、鈍角プレート６ａによる戸元側縦枠部４ａと下枠部３との連結は、鈍角プレート６ａの鈍角の角部先端を戸元側縦枠部４ａと下枠部３の重合部にビス止めし（図中ｄ）、鈍角プレート６ａの残りの一方の角部先端を戸元側縦枠部４ａにビス止めし（図中ｅ）、他方の角部先端を下枠部３にビス止めする（図中ｆ）ことで行われる。
【００２１】
これにより、直角プレ−ト５にて上枠部２に対して垂直な縦枠部４を確実に得ることができると共に、非直角プレ−ト６にて上記縦枠部４に対して所定の角度の下枠部３を確実に得ることができる。つまり、簡単な施工で、下枠部３を所定の水勾配を正確につけて設置でき、ひいては浴室用引戸枠１を所定形状に正確に組み付けできて、下枠部３内に流入した浴水を下枠部３外にスムーズに排出可能にする浴室用引戸枠１を実現させている。
【００２２】
なお、下枠部３は、上記のように水勾配をつけて浴室用引戸枠１に設置されるのであるが、浴室１５の床パン１８と隣室１６の床材１９とにそれぞれビス２０や取付具２１等を用いて固定することで、建物に配設される。ここで、本例の下枠部３は、図３，４のように、下枠部３に流入した浴水を受ける部材であって水勾配をつけて配置される底面部材８と、引戸１２の下端をスライドさせるためのレール部材９とを有し、レール部材９を底面部材８上にスペーサ１０を介して水平に載設させて構成されている。これにより、引戸１２は上端部を上枠部２に吊り支持させて下端部を下枠部３にガイド支持させた状態でスムーズな水平走行が可能にされている。
【００２３】
つまり、底面部材８は下枠部３の主体を構成して上記鈍角プレート６ａにビス止めされる部材であり、レール部材９は図５のように押出し成形で製造された長尺の型材で構成され、引戸１２の下端の摺動溝１２ａ内に挿入される挿入突条２２がその長さ方向に亙って立設されている。また、スペーサ１０は、レール部材９の底面にその長さ方向の所定間隔ごとに設けられ、戸元側に位置するスペーサ１０ほど、その高さ寸法が小さくなるように形成されている。したがって、底面部材８は、戸先側ほど下方に位置するような水勾配がつけられて配置されているが、レール部材９は、上記戸元側に位置するものほど高さ寸法が小さく形成されたスペーサ１０を介して底面部材８に載設されたことで水平に配置できて、挿入突条２２の高さ位置を下枠部３の長さ方向で略一定位置に保つことができたため、挿入突条２２を一定の状態で水平移動する引戸１２の摺動溝１２ａ内に挿入させることができて、引戸１２にスムーズな水平走行を確保できたのである。
【００２４】
また、底面部材８には開口部１３と戸袋部１４とに亙って凹溝状のレール部材配置溝部２３が形成され、このレール部材配置溝部２３の溝底面２３ａ上にレール部材９が載設されるのであるが、開口部１３における底面部材８には、戸袋部１４には無い、浴室１５と隣室１６とを連通する開口部１３の床を構成する開口下枠部２４が形成されている。また、開口部１３における上枠部２には、戸袋部１４には無い、開口部１３の上面を構成する開口上枠部２５が形成されている。また、叙述のように戸袋部１４と開口部１３との境界に位置して下枠部３と上枠部２とに連結する方立部１１が立設されているが、詳しくは、方立部１１は開口下枠部２４及び開口上枠部２５の各戸袋側端部同士を連結するように立設されている。つまり、開口部１３は、開口下枠部２４と開口上枠部２５と方立部１１と戸先側縦枠部４ｂとで構成された開口部枠１３ａにて囲まれて形成されており、方立部１１は戸先側縦枠部４ｂと共に開口部枠１３ａの縦枠材となっている。
【００２５】
この開口部枠１３ａの浴室側端部は浴室１５の開口縁に連結されているが、開口下枠部２４はその上面２４ａが浴室１５の開口下縁となる洗い場床面１８ａよりもやや高い位置に設定されている。開口下枠部２４の上面２４ａとレール部材配置溝部２３の溝底面２３ａとは仕切り片２６で隔てられて隣接する。仕切り片２６の上端は隣室１６の床面１９ａと略同高さ位置に設定される。開口下枠部２４にはその上面２４ａを覆うようにカバー材２７が着脱自在に取り付けられる。このカバー材２７は、浴室側端部が浴室１５の洗い場床面１８ａ上に、隣室側端部が仕切り片２６の上端にそれぞれ載置されるのであり、浴室１５から隣室１６に連続するような緩斜面状の開口部１３の床面を形成させている。なお、図中２８は開口下枠部２４の上面２４ａから立設したカバー材２７を下支えするための支え片であり、支え片２８には排水用孔２９ｂが穿設されている。
【００２６】
また、レール部材配置溝部２３の溝底面２３ａは、開口下枠部２４の上面２４ａよりもやや高い位置に設定されており、仕切り片２６に穿設した排水用孔２９ａにて開口下枠部２４の上面２４ａと連通されている。上記支え片２８や仕切り片２６に穿設した各排水用孔２９（２９ａ，２９ｂ）は、下枠部３の水勾配の最下端部に形成されており、上述した排水部７を構成するものである。つまり、浴室１５の洗い場からカバー材２７の上面を伝って下枠部３のレール部材配置溝部２３に流入した浴水や、引戸１２に付着した浴水が滴り落ちて下枠部３のレール部材配置溝部２３に流入した浴水は、下枠部３（底面部材８）の水勾配によって低位置側（戸先側）へ集められ、排水部７を構成する排水用孔２９を通じて浴室１５の洗い場に排出されるようになっている。なお、本例では、レール部材配置溝部２３の溝底面２３ａや開口下枠部２４の上面２４ａは浴室側ほど低位置になるような水勾配が形成されており、下枠部３から浴室１５の洗い場への浴水の排出がスムーズになされるようにされている。
【００２７】
このように本例では下枠部３に戸先側へ下り傾斜をする水勾配をつけてその最下端部に排水部７を設けたことで、元来排水の難しい、浴室１５との間に仕切り壁１７がある戸袋部１４において下枠部３に流入する浴水に対しても、スムーズな排水を可能にできたものである。なお、本例では、下枠部３に流入した浴水を下枠部３から浴室１５の洗い場に排出させる排水部７が採用されているが、排水部７としてはたとえば下枠部３に流入した浴水を床下に配設される排水管に排出可能にするものを採用することもできる。
【００２８】
本例の上記浴室１５と戸袋部１４との間に設ける仕切り壁１７は、方立部１１の浴室側端部に連結した浴室壁１５ａと、方立部１１の隣室側端部に連結されると共に戸袋部１４に位置するレール部材配置溝部２３の浴室側に隣接して立設する戸袋壁１４ａと、で構成されている。ここで、この方立部１１は、浴室用引戸枠１の長さの異なる一対の縦枠部４の略中間の長さ寸法に形成されている。したがって、水勾配のついた下枠部３と水平な上枠部２との上下距離はその長さ方向の位置で異なるものとなるが、下枠部３や上枠部２の長さ方向の略中間位置に位置する戸袋部１４と開口部１３との境界部分において、方立部１１は確実且つ無理なく下枠部３と上枠部２とに掛け渡して設置可能にされている。この方立部１１によると、浴室用引戸枠１の剛性強度を向上できる利点を有する。
【００２９】
上記実施形態の浴室用引戸枠１は戸袋部１４を有していて戸袋部１４での下枠部３の排水構造が確保されたものであるが、たとえば引戸１２が一端が上枠部２及び下枠部３に枢支された折畳み扉であって戸袋部１４を有さないものでもよい。この場合においても、下枠部３に水勾配を有しその最下端部で排水部７を有すれば、開口部１３で下枠部３に流入した浴水の良好な排水構造を確保できるのであり、好ましい。
【図面の簡単な説明】
【００３０】
【図１】本発明の実施の形態の例の浴室用引戸枠の概略正面図である。
【図２】同上の浴室用引戸枠の建物への配設構造を示す概略平面図である。
【図３】図２（ａ）のＡ−Ａ線の要部の断面図である。
【図４】図２（ａ）のＢ−Ｂ線の要部の断面図である。
【図５】同上のレール部材であり、（ａ）は側面図であり、（ｂ）は斜視図である。
【図６】従来技術の例の浴室用引戸枠であり、（ａ）は概略正面断面図であり、（ｂ）はレール部材の斜視図である。
【符号の説明】
【００３１】
１  浴室用引戸枠
２  上枠部
３  下枠部
４  縦枠部
５  直角プレ−ト
６  非直角プレ−ト
６ａ  鈍角プレート
７  排水部
８  底面部材
９  レール部材
１０  スペーサ
１１  方立部
１２  引戸
１３  開口部
１４  戸袋部
【図１】
2009079380.tif 000003
【図２】
2009079380.tif 000004
【図３】
2009079380.tif 000005
【図４】
2009079380.tif 000006
【図５】
2009079380.tif 000007
【図６】
2009079380.tif 000008